(57)【特許請求の範囲】
【請求項１】
合成樹脂製絶縁プラグの前面に、アークチューブの前端部を支持するとともに、アークチューブへの通電路として機能する金属製リードサポートが突設され、前記リードサポートの直線部にパイプ形状のセラミックス製の絶縁スリーブが嵌装された放電ランプ装置において、前記絶縁スリーブ内周面とリードサポート外周面間には所定の隙が設けられるとともに、前記リードサポートの直線部における絶縁スリーブ挿通領域に屈曲部が設けられて、絶縁スリーブ内の長手方向複数カ所にリードサポートが圧接された放電ランプ装置であって、前記絶縁プラグの前面には、前記絶縁スリーブ後端側を挿通収容するスリーブ挿通孔が開口し、該スリーブ挿通孔に後端側を挿通収容した前記絶縁スリーブによって前記リードサポートの直線部の略全域が覆われたことを特徴とする放電ランプ装置。
【請求項２】
前記スリーブ挿通孔内周面と絶縁スリーブ外周面間に所定の隙が生じるように構成されたことを特徴とする請求項１に記載の放電ランプ装置。
【請求項３】
前記スリーブ挿通孔の底部には、絶縁プラグの背面側に貫通するリードサポート挿通孔に延びるテーパ孔が設けられたことを特徴とする請求項２に記載の放電ランプ装置。
【請求項４】
前記リードサポート挿通孔は、スリーブ挿通孔に対し偏芯し、前記リードサポート挿通孔に挿通されて前記スリーブ挿通孔に対し偏芯して延出するリードサポートにより、前記絶縁スリーブの一側面がスリーブ挿通孔内周面に圧接されたことを特徴とする請求項３に記載の放電ランプ装置。
【発明の詳細な説明】
【０００１】
【発明の属する技術分野】
本発明は、アークチューブの前端部を支持しアークチューブへの通電路として機能する金属製リードサポートが絶縁プラグに突設された放電ランプ装置に関する。
【０００２】
【従来の技術】
従来の放電ランプ装置としては、図１７に示されるように、合成樹脂製絶縁プラグ（絶縁性ベース）１の前方に、アークチューブ５が固定一体化されて構成されている。
【０００３】
アークチューブ５は、電極７ａ，７ｂの対設された発光部である密閉ガラス球７をもつアークチューブ本体６に紫外線遮蔽用グローブ９が溶着一体化されて、密閉ガラス球７が紫外線遮蔽用グローブ９で包囲密封された構造となっている。電極７ａ，７ｂは、ピンチシール部８，８に封着されたモリブデン箔８ａ，８ｂを介して、アークチューブ５から導出するリード線８ｃ，８ｄに接続されている。
【０００４】
そして、絶縁プラグ１に形成された係合孔１ａにアークチューブ５の後端部が挿入され、絶縁プラグ１の前面にねじ固定された皿型のセラミック製ディスク２にアークチューブ５の後部外周が把持されるとともに、絶縁プラグ１に突設されて前方に延出し、アークチューブ５への通電路として機能する金属製リードサポート３にアークチューブ５の前端部が支持されて、絶縁プラグ１にアークチューブ５が固定一体化されている。符号２ａは、ディスク２内に装填された接着材である。符号４は、プラス側通電路８ｄ，８ｂ，７ｂとマイナス側通電路であるリードサポート３間の絶縁を確保するために、リードサポート３に嵌装された円パイプ形状のセラミック製の絶縁スリーブである。
【０００５】
【発明が解決しようとする課題】
前記した従来の放電ランプ装置では、金属製リードサポート３にセラミック製絶縁スリーブ４が嵌装されているが、放電ランプ装置を組み立てる際には、リードサポート３をセラミック製スリーブ４に挿通する必要がある。そしてリードサポート３をスリーブ４にスムーズに挿通させるには、リードサポート３の外径に比べてスリーブ４の内径を大きくすればよい。しかし、スリーブ４の内径を大きくすると、挿通されたリードサポート３との間に隙が生じ、両者３，４が相対揺動して騒音の原因となるとか、スリーブ４が折損するおそれがあるという問題がある。このため、従来では、リードサポートの挿通作業性と騒音の発生およびスリーブの折損の防止という両面から、スリーブ４の内径をリードサポート３の外径よりわずかに大きく形成するようになっていた。
【０００６】
ところが、セラミック製スリーブ４は焼結により成形されるが、焼結後は体積が収縮するため、スリーブ４の寸法精度（内外径寸法および直線度）を正確に管理することは困難であり、成形されたスリーブ４の歩留りが非常に悪く、放電ランプ装置のコストを高価にする一因となっていた。
【０００７】
本発明は前記従来技術の問題点に鑑みなされたもので、その目的は、放電ランプ装置を組み立てる際の作業性が良好で、騒音の発生やスリーブの折損のおそれがなく、しかもコストの低減に有効な放電ランプ装置を提供することにある。
【０００８】
【課題を解決するための手段】
前記目的を達成するために、請求項１に係る放電ランプ装置においては、合成樹脂製絶縁プラグの前面に、アークチューブの前端部を支持するとともに、アークチューブへの通電路として機能する金属製リードサポートが突設され、前記リードサポートの直線部にパイプ形状のセラミックス製の絶縁スリーブが嵌装された放電ランプ装置において、前記絶縁スリーブ内周面とリードサポート外周面間に所定の隙を設けるとともに、前記リードサポートの直線部における絶縁スリーブ挿通領域に屈曲部を設けて、絶縁スリーブ内の長手方向複数カ所にリードサポートを圧接するように構成した放電ランプ装置であって、前記絶縁プラグの前面に前記絶縁スリーブ後端側を挿通収容するスリーブ挿通孔が開口し、該スリーブ挿通孔に後端側を挿通収容した前記絶縁スリーブによって前記リードサポートの直線部の略全域を覆うように構成した。
なお、絶縁スリーブ内周面とリードサポート外周面間の隙は、リードサポートが絶縁スリーブ内に挿通された形態では、リードサポート屈曲部が絶縁スリーブ内周面に圧接状態となって、リードサポートと絶縁スリーブとを一体化でき、一方、リードサポートを絶縁スリーブに挿通させる際には、リードサポート屈曲部を弾性変形させてスムーズにリードサポートを絶縁スリーブに挿通させることのできる、大きさであればよい。
絶縁スリーブの内径がリードサポートの外径より大きく、かつリードサポートをスリーブに挿入する際に、屈曲部は絶縁スリーブに沿った形状に弾性変形できるので、絶縁スリーブの内径寸法に多少の誤差があったり、絶縁スリーブに多少の反りがあったとしても、リードサポートを絶縁スリーブにスムーズに挿通できる。
また、絶縁スリーブ内の長手方向複数カ所においてリードサポートが絶縁スリーブに圧接されて、絶縁スリーブがリードサポートに一体化されており、伝達された振動により両者が相対揺動してガタつくことがなく、それだけ絶縁スリーブが折損するおそれも少ない。
また、リードサポートの絶縁プラグの前方に延出する部位のみならず、リードサポートの絶縁プラグ内に延在する領域にも絶縁スリーブが嵌装されており、それだけ対向するプラス側通電路とマイナス側通電路間における絶縁が確保される。
請求項２においては、請求項１に記載の放電ランプ装置において、前記スリーブ挿通孔内周面と絶縁スリーブ外周面間に隙が生じるように構成したものである。
スリーブ挿通孔の孔径が絶縁スリーブの外径より大きいため、絶縁スリーブの外径寸法に多少の誤差があったり、絶縁スリーブに多少の反りがあったとしても、絶縁スリーブをスリーブ挿通孔にスムーズに挿入できる。
請求項３においては、請求項２に記載の放電ランプ装置において、前記スリーブ挿通孔の底部に、絶縁プラグの背面側に貫通するリードサポート挿通孔に延びるテーパ孔を設けるようにしたものである。
絶縁スリーブ内に押し込まれて、絶縁スリーブを貫通したリードサポート後端部は、テーパ孔に沿って進み、リードサポート挿通孔に案内される。
請求項４においては、請求項３に記載の放電ランプ装置において、前記リードサポート挿通孔をスリーブ挿通孔に対し偏芯するように構成し、前記リードサポート挿通孔に挿通されて前記スリーブ挿通孔に対し偏芯して延出するリードサポートにより、前記絶縁スリーブの一側面をスリーブ挿通孔内周面に圧接するようにしたものである。
スリーブ挿通孔の中心軸に対し偏芯するリードサポートが、絶縁スリーブの内周一側面の長手方向略全域をスリーブ挿通孔に圧接するので、絶縁スリーブがスリーブ挿通孔に対しガタつかない。
【０００９】
【発明の実施の形態】
次に、本発明の実施の形態を実施例に基づいて説明する。
【００１０】
図１〜図１５は本発明の第１の実施例を示すもので、図１は本発明の第１の実施例である放電ランプ装置の斜視図、図２は同放電ランプ装置の側面図、図３は同放電ランプ装置の正面図、図４は同放電ランプ装置の背面図、図５は同放電ランプ装置の縦断面図（図３に示す線V-V  に沿う断面図）、図６はアークチューブ垂直保持部材の分解斜視図、図７は垂直保持部材を固定一体化したアークチューブの側面図、図８はベースプレートを固定一体化した絶縁プラグ前縁部の縦断面図、図９はベースプレートの背面斜視図、図１０はスリーブ挿通孔周辺の拡大断面図、図１１はリードサポートを絶縁スリーブに挿入する様子を示す斜視図、図１２は絶縁スリーブを挿入したスリーブ挿通孔周辺の拡大断面図、図１３は後端部を上に向けた絶縁プラグの縦断面図、図１４はベルト型端子の背面斜視図、図１５はキャップ型端子被着用のボスの斜視図である。
【００１１】
これらの図において、符号３０は、給電側コネクターＣ1 （図２参照）を挿着脱できるランプ側コネクターＣ2 がその後端部に一体に設けられ、自動車用ヘッドランプのリフレクタ１００のバルブ挿着孔１０２（図２参照）に係合する当接基準面ｆ1 （図２，５参照）を構成する焦点リング３４が外周に設けられた合成樹脂製の絶縁プラグで、この絶縁プラグ３０の前方には、プラグ３０から前方に延出する金属製リードサポート３６と、プラグ３０の前面に固定された金属製支持部材５０とによって、アークチューブ１０が固定支持されて、放電ランプ装置が構成されている。
【００１２】
即ち、アークチューブ１０の前端部から導出するリード線１８ａが、絶縁プラグ３０から突出して前方に延出するリードサポート３６の折曲された先端部３７にスポット溶接により固定されるとともに、アークチューブ１０の後端部が、絶縁プラグ３０の前面に固定されたベースプレート５１，スライドプレート６１，アークチューブ把持バンド７１からなる金属製支持部材５０で把持された構造となっている。
【００１３】
なお、アークチューブ１０は、電極１５ａ，１５ｂの対設された密閉ガラス球１２をもつアークチューブ本体１１に、円筒型の紫外線遮蔽用グローブ２０が溶着（封着）一体化されて、密閉ガラス球１２を紫外線遮蔽用グローブ２０が包囲密封した構造となっている。符号Ｌは、電極１５ａ，１５ｂ間を結ぶ放電軸である。
【００１４】
アークチューブ本体１１は、円パイプ形状の石英ガラス管から加工されて、長手方向所定位置に横断面矩形状のピンチシール部１３ａ，１３ｂで挟まれた回転楕円体形状の密閉ガラス球１２が形成された構造で、ガラス球１２内には始動用希ガス，水銀及び金属ハロゲン化物（例えばナトリウム−スカンジュウム系発光物質）が封入されている。ピンチシール部１３ａ，１３ｂには、矩形状のモリブデン箔１６ａ，１６ｂが封着されており、このモリブデン箔１６ａ，１６ｂの一方の側には、密閉ガラス球１２内に対設されたタングステン電極１５ａ，１５ｂが、他方の側には、アークチューブ本体１１外に導出するリード線１８ａ，１８ｂがそれぞれ接続されている。また、アークチューブ本体１１には、密閉ガラス球１２より口径の大きい円筒型の紫外線遮蔽用グローブ２０が溶着一体化されて、アークチューブ本体１１のピンチシール部１３ａ，１３ｂから密閉ガラス球１２に至る領域が紫外線遮蔽用グローブ２０で包囲密封されるとともに、アークチューブ本体１１の非ピンチシール部である円パイプ形状の後方延出部１４ｂ（図５参照）がグローブ２０の後方に突出している。
【００１５】
グローブ２０は、ＴｉＯ2 ，ＣｅＯ2 をドープした紫外線遮光作用のある石英ガラスで構成されており、放電部である密閉ガラス球１２における発光から人体に有害となる所定波長域の紫外線を確実にカットするようになっている。また、グローブ２０内は、真空状態又は不活性ガスを封入した状態とされて、放電部である密閉ガラス球１２からの熱の幅射に対する断熱作用を営み、ランプ特性が外部環境の変化に影響を受けにくいように設計されている。
【００１６】
このため、リードサポート３６やスライドプレート６１といった金属部材には、所定波長域の紫外線のカットされた光が当たるので、励起されてこれらの金属部材から外部に飛び出す自由電子の量も少なく、密閉ガラス球１２内の発光物質の蒸気圧が低下するという不具合もない。
【００１７】
また、絶縁プラグ３０の前面側には、アークチューブ１０の後方延出部１４ｂを挿通収容できる開口部３２の設けられた円筒形状内筒部３１が形成され、スリーブ挿通孔３５ａの形成されたブリッジ部３５（図３，６参照）を除く内筒部３１の回りには、焦点リング３４の周設された円筒形状外筒部３３が形成されている。
【００１８】
そして、内筒部３１の前縁には、基準平面を形成する金属製ベースプレート５１が密着固定されている。ベースプレート５１は、図６，８に拡大して示すように、ドーナツ円盤状基部５２の内周縁に円筒部５４が形成された形状で、金型内にベースプレート５１をインサートした状態で射出成形するインサート成形により、絶縁プラグ３０に円盤状基部５２を露呈させた形態に一体化されている。円筒部５４の先端には、外方に折曲された折り返し部５６が周方向等分４個所に設けられており、この折り返し部５６が絶縁プラグ内筒部３１内に埋没して抜け止め部として作用し、ベースプレート５１は内筒部３１に強固に固定一体化されて、ベースプレート５１が絶縁プラグ３０から剥がれる等して脱落するおそれは全くない。
【００１９】
また、絶縁プラグ３０に一体化されたベースプレート５１の円盤状基部５２の前面は、リフレクタ１００に対する位置決め基準部材である焦点リング３４の基準平面ｆ1 （図２，５参照）と平行な基準平面ｆ2 （図５，８参照）に構成されている。そして、このベースプレート５１（の基部５２）上には、金属製のスライドプレート６１と金属製のアークチューブ把持バンド７１とから構成されて、アークチューブ１０のグローブ２０を垂直に保持する金属製垂直保持部材６０が溶接固定されて、アークチューブ１０の放電軸Ｌが焦点リング３４の中心軸Ｌ2 （図２，図１３参照）上の所定位置に配置されている。
【００２０】
即ち、垂直保持部材６０を構成するアークチューブ把持バンド７１は、図６に示すように、帯状のバンド本体７２の両端付き合わせ部に、断面Ｌ字型に折曲された矩形状の耳片７４が形成され、アークチューブ１０のグローブ２０に捲回したバンド本体７２の耳片７４同士を付き合わせ、これらをスポット溶接することで、グローブ２０に把持バンド７１を捲回固定できるようになっている。符号７３は、バンド本体７２の長手方向２箇所に設けられている屈曲部で、この屈曲部７３が弾性変形することで、バンド本体７２が長手方向に伸縮し、これによりバンド本体７２をグローブ２０に捲回固定できる。符号７５はスポット溶接部を示す。
【００２１】
また、垂直保持部材６０を構成する金属製スライドプレート６１は、図６，７に示すように、その基部６２がベースプレート５１の基部５２と整合するドーナツ円盤状に形成され、基部６２の内周縁には、切り起こされて立ち上がる板ばね状の４本の舌片状挟持片６４が周方向等間隔に設けられている。そして、アークチューブ１０のグローブ２０に捲回固定されたアークチューブ把持バンド７１の外周がこの舌片状挟持片６４に挟持されるとともに、舌片状挟持片６４が把持バンド７１にレーザ溶接されることで、アークチューブ１０の放電軸Ｌがスライドプレート６１のベースプレート５１との接合面（スライドプレート６１のドーナツ円盤状基部６２の底面）ｆ3 （図７参照）に対し垂直であって、基部６２の底面ｆ3 から所定の距離Ｈ1 だけ離間した位置となるように、アークチューブ１０がスライドプレート６１に一体化されている。符号６５はレーザ溶接部を示す。
【００２２】
そして、アークチューブ１０を把持一体化したスライドプレート６１（垂直保持部材６０）を、ベースプレート５１に沿って移動（スライド）させて、放電軸Ｌが焦点リング３４の中心軸（放電ランプ装置の中心軸）Ｌ2 と一致した位置で、スライドプレート６１（の基部６２）をベースプレート５１（の基部５２）にレーザ溶接することで、垂直保持部材６０を介してアークチューブ１０が絶縁プラグ３０に一体化され、アークチューブ１０の放電軸Ｌは焦点リング３４に対し望ましい所定位置となる。
【００２３】
また、絶縁プラグ３０の前面に開口するスリーブ挿通孔３５ａには、リードサポート３６を挿通させた円パイプ形状のセラミック製の絶縁スリーブ３８が挿入され、リードサポート３６の挿入端部は、スリーブ挿通孔３５ａの底部に設けられ、絶縁プラグ３０の背面側に貫通するリードサポート挿通孔３５ｂ（図５，１０参照）から後方に突出して、絶縁プラグ３０の後端部に設けられているベルト型端子４４のリードサポート係合孔４５ａに挿通され、かつレーザ溶接されている。
【００２４】
絶縁スリーブ３８は、マイナス側通電路を構成するリードサポート３６の直線部の略全域を覆うように設けられており、プラス側通電路を構成するアークチューブ後端側リード線１８ｂとの間の絶縁が確保されている。
【００２５】
また、スリーブ挿通孔３５ａの底部には、図１０に拡大して示すように、リードサポート挿通孔３５ｂに延びるテーパ孔３５ｃが設けられており、絶縁スリーブ３８を貫通したリードサポート挿入端部は、このテーパ孔３５ｃに案内されてリードサポート挿通孔３５ｂに導かれるので、リードサポート３６の挿通孔３５ｂへの挿入作業が容易となっている。
【００２６】
なお、スリーブ挿通孔３５ａの孔径は２．５ｍｍφ、絶縁スリーブ３８の外径は２．１ｍｍφ、絶縁スリーブ３８の内径は１．０ｍｍφ、リードサポート３６の外径は０．６ｍｍφで、図１２に示すように、スリーブ挿通孔３５ａの内周面と絶縁スリーブ３８の外周面間および、絶縁スリーブ３８の内周面とリードサポート３６の外周面間には、それぞれ０．４ｍｍの隙Ｓ1 ，Ｓ2 が形成されるように設計されて、絶縁スリーブ３８の外径や内径に±０．２ｍｍ程度の寸法誤差や０．３ｍｍ程度の反りがあっても、十分に使用できる構造となっている。
【００２７】
即ち、絶縁プラグ３０は合成樹脂の成形品であり、リードサポート３６は金属製であることから、スリーブ挿通孔３５ａの孔径寸法およびリードサポート３６の外径寸法を正確に形成することはできるが、絶縁スリーブ３８はセラミック製（一般にはアルミナ製）であるため、外径寸法や内径寸法に微小ではあるが寸法誤差が生じたり反りが生じたりし易い。このため、予めスリーブ挿通孔３５ａの孔径およびリードサポート３６の外径を、焼結により成形される絶縁スリーブ３８の寸法誤差を考慮した大きさに設定することで、絶縁スリーブ３８の外径や内径や直線度に多少の誤差があっても、絶縁スリーブ３８をスリーブ挿通孔３５ａに挿通収容させることも、リードサポート３６を絶縁スリーブ３８に挿通させることも可能なように、構成されている。
【００２８】
また、リードサポート３６は、絶縁スリーブ３８の前端部から露出する位置において、絶縁プラグ３０の中心軸側に略直角に折曲され、この折曲部３７にアークチューブ１０の前端部が支持されているが、図１１に示すように、リードサポート直線部の前端寄りの長手方向隣接２箇所に、曲率半径３５．９ｍｍで互いに反対方向に波型に屈曲して変曲点Ｐ1 ，Ｐ2 がｈ（１．３ｍｍ）だけ離間する屈曲部３６ａ，３６ａが設けられている。符号３７ａは、リードサポート３６の先端折曲部３７に形成されたリード線スポット溶接用ピンチ部である。
【００２９】
そして、リードサポート３６が絶縁スリーブ３８に挿通された状態では、図５に示すように、この波型屈曲部３６ａ，３６ａがスリーブ３８の内周面にそれぞれ圧接状態となって、絶縁スリーブ３８の前端部寄りがリードサポート３６（の波型屈曲部３６ａ，３６ａ）によって弾支されて、絶縁スリーブ３８がリードサポート３６に対しガタつかない形態となっている。
【００３０】
また、リードサポート３６を絶縁スリーブ３８に挿入する際には、リードサポート３６のスリーブ３８への挿入に伴って、屈曲部３６ａ，３６ａが直線状に弾性変形するため、リードサポート３６を絶縁スリーブ３８にスムーズに挿通させることができる。特に、屈曲部３６ａ，３６ａはリードサポート３６の前端部寄りに設けられているため、リードサポート３６を絶縁スリーブ３８に挿入する際の屈曲部３６ａ，３６ａによる摺動摩擦抵抗も少なくてすむ。
【００３１】
また、この屈曲部３６ａ，３６ａは、アークチューブ１０の前端部を支持するリードサポート折曲部３７と同一平面上に設けられて、アークチューブ１０の前端部からリードサポート３６に作用する負荷も受け止めることができるようになっている。
【００３２】
このように、リードサポートの屈曲部３６ａの大きさ（曲率半径３５．９ｍｍ，屈曲部の変曲点Ｐ1 ，Ｐ2 間垂直距離１．３ｍｍ）と、絶縁スリーブ３８の内周面とリードサポート３６の外周面間の隙Ｓ2 （０．４ｍｍ）は、絶縁スリーブ３８に挿通されたリードサポート３６の屈曲部３６ａがスリーブ３８の内周面に圧接されてスリーブ３８をリードサポート３６に一体化できるとともに、絶縁スリーブ３８にリードサポート３６（の屈曲部３６ａ）をスムーズに挿入することのできる、という両観点からその大きさが設定されている。
【００３３】
また、リードサポート挿通孔３５ｂおよびリードサポート係合孔４５ａは、スリーブ挿通孔３５ａに対し焦点リング３４の中心軸の外方にδ（０．４ｍｍ以上）だけ偏芯した位置に設けられており、リードサポート３６の挿入端部がこれらの孔３５ｂ，４５ａに挿入され溶接固定された状態では、図１２に示すように、スリーブ挿入孔３５ａに対し偏芯して真っ直ぐに延びるリードサポート３６が絶縁スリーブ３８の内周面の一側部をスリーブ挿通孔３５ａの内周面に圧接し、絶縁スリーブ３８全体がリードサポート３６とスリーブ挿通孔３５ａの内周面によって挟持された形態となっている。
【００３４】
従って、スリーブ挿通孔３５ａに挿入された絶縁スリーブ３８は、スリーブ挿通孔３５ａとの間に隙Ｓ1 があり、リードサポート３６との間に隙Ｓ2 があるものの、スリーブ挿通孔３５ａに対しガタつくことも、リードサポート３６に対してガタつくこともない。
また、絶縁スリーブ３８は、リードサポート３６の先端折曲部３７によって前方への移動が阻止されるため、スリーブ３８が前後方向にガタつくこともない。
【００３５】
なお、リードサポート挿通孔３５ｂはスリーブ挿通孔３５ａに対し偏芯しているため、リードサポート３６の挿入端部をこの孔３５ｂに挿入させにくいが、スリーブ挿通孔３５ａの底部まで押し込まれたリードサポート３６の挿入端部は、テーパ孔３５ｃに沿ってリードサポート挿通孔３５ｂに案内されるため、簡単かつ確実に挿入させることができる。
【００３６】
また、絶縁プラグ３０の後端部には、後方に延出する円筒形状外筒部４２と、外筒部４２内において後方に延出する円柱形状ボス４３とが形成され、外筒部４２の付け根部外周には、ランプ側コネクターＣ2 のマイナス端子を構成する円筒形状のベルト型端子４４が固定一体化されるとともに、ボス４３には、ランプ側コネクターのプラス端子を構成するキャップ型端子４７が被着一体化されている。
【００３７】
ベルト型端子４４は、図１３，１４に示すように、外向きフランジ４５が形成された円筒体で構成され、金型内にベルト型端子４４をインサートした状態で射出成形するインサート成形により絶縁プラグ３０に一体化されている。外向きフランジ４５には、絶縁プラグ３０を貫通したリードサポート３６の後端部がレーザ溶接により固定される係合孔４５ａが設けられるとともに、外向きフランジ４５の周方向等分３箇所には、絶縁プラグ３０に対しベルト型端子４４を周方向に位置決めするための切り欠き４５ｂが設けられている。
【００３８】
また、ボス４３の外周面には、周方向等分４箇所に軸方向に延びる縦リブ４３ａが設けられて、ボス４３に被着されたキャップ型端子４７の密着力が高められ、キャップ型端子４７が脱落しにくいようになっている。符号４８は、キャップ型端子４７の頂部に設けられたリード線係合孔で、アークチューブ１０の後端側から導出し絶縁プラグ３０の開口部３２およびリード線挿通孔４３ｂを貫通したリード線１８ｂが、この係合孔４８に係合しかつレーザ溶接されている。
【００３９】
図１６は、本発明の第２の実施例の要部拡大断面図を示す。
【００４０】
前記した第１の実施例では、リードサポート３６の後端部の挿通されるリードサポート挿通孔３５ｂがスリーブ挿通孔３５ａに対し偏芯するように構成されていたが、本実施例では、リードサポート３６Ａの後端部の挿通されるリードサポート挿通孔３５ｂと、リードサポート３６Ａの後端部の溶接固定されるベルト型端子４４のリードサポート係合孔４５ａが、スリーブ挿通孔３５ａの中心軸に一致するように設けられて、スリーブ挿通孔３５ａの内周面と絶縁スリーブ３８の外周面間に隙Ｓ1 ’が形成されている。
【００４１】
また、リードサポート３６Ａの直線部略全長にわたって波型の屈曲部３６ａが等間隔に設けられて、絶縁スリーブ３８がリードサポート３６Ａに圧接一体化されていることから、絶縁スリーブ３８がリードサポート３６Ａに対しガタつくことも、スリーブ挿通孔３５ａに対しガタつくこともない。
【００４２】
その他は前記第１の実施例と同一であり、同一の符号を示すことでその説明は省略する。
【００４３】
なお、前記した実施例では、アークチューブ本体１１に紫外線遮蔽用グローブ２０が溶着一体化された構造であったが、アークチューブ本体１１に紫外線遮蔽用グローブ２０が溶着されておらず、アークチューブ本体１１の前端側がリードサポート３６で支持され、アークチューブ本体１１の後端部が絶縁プラグ３０の前面に固定された他の金属製支持部材によって支持され、アークチューブ本体１１とリードサポート３６と他の金属製支持部材の全体が、絶縁プラグ３０の前面に基端部を固定したカップ型の紫外線遮蔽用グローブによって包囲された構造の放電ランプ装置にも、本発明を適用することができる。
【００４４】
また、前記第１，第２の実施例では、リードサポート３６（３６Ａ）の直線部の略全長にわたって絶縁スリーブ３８が嵌装された構造となっているが、例えば絶縁プラグ３０の前面に一体成形等によりリードサポートが突設され、リードサポートの絶縁プラグ前方への突出部だけに絶縁スリーブ３８が嵌装された構造の放電ランプ装置にも、本発明を適用することができる。
【００４５】
【発明の効果】
以上の説明から明かなように、請求項１に係る放電ランプ装置によれば、絶縁スリーブの孔径をリードサポートの外径より十分に大きく形成したので、リードサポートの絶縁スリーブへの挿通がスムーズとなって、放電ランプ装置の組立てが容易となる。
また、リードサポートと絶縁スリーブは、屈曲部を介して圧接一体化されているため、伝達された振動により揺動するにしても一体に揺動し、両者が互いにガタついたり、ぶつかって騒音を発したり、絶縁スリーブが折損するという従来の問題点が解消される。
また、従来では内径寸法が違いすぎる等の理由で不良品とされていた絶縁スリーブであっても、適正品として使用できるため、成形される絶縁スリーブの歩留りが向上し、それだけ放電ランプ装置を安価に提供できる。
また、リードサポートの直線部の略全域に絶縁スリーブを嵌装したので、通電路であるリードサポートとこれに対応する通電路間における絶縁が確保される。
請求項２によれば、スリーブ挿通孔の孔径を絶縁スリーブの外径より十分に大きく形成したので、絶縁スリーブのスリーブ挿通孔への挿入がスムーズとなって、放電ランプ装置の組立てがより容易となる。なお、絶縁スリーブとスリーブ挿通孔との間に隙があるものの、絶縁スリーブとリードサポートは圧接一体化されているため、絶縁スリーブはスリーブ挿通孔に対しガタつくこともない。
請求項３によれば、絶縁プラグ背面側に貫通するリードサポート挿通孔にリードサポート後端部をスムーズに挿入できるので、リードサポートの絶縁プラグへの取り付け作業が容易となり、放電ランプ装置の組立てが一層簡単となる。
請求項４によれば、スリーブ挿通孔に対し偏芯するリードサポートにより絶縁スリーブがスリーブ挿通孔に圧接保持されるので、絶縁スリーブはスリーブ挿通孔に対しても全くガタつかず、騒音問題がさらに改善されたものとなる。
また、外径寸法に多少の誤差がある絶縁スリーブも、適正品として使用できるため、成形される絶縁スリーブの歩留りが著しく向上する。
【図面の簡単な説明】
【図１】本発明の第１の実施例である放電ランプ装置の斜視図
【図２】同放電ランプ装置の側面図
【図３】同放電ランプ装置の正面図
【図４】同放電ランプ装置の背面図
【図５】同放電ランプ装置の縦断面図（図３に示す線V-V  に沿う断面図）
【図６】アークチューブ垂直保持部材の分解斜視図
【図７】垂直保持部材を固定一体化したアークチューブの側面図
【図８】ベースプレートを固定一体化した絶縁プラグ前面部の縦断面図
【図９】ベースプレートの背面斜視図
【図１０】スリーブ挿通孔の拡大断面図
【図１１】リードサポートを絶縁スリーブに挿入する様子を示す斜視図
【図１２】絶縁スリーブを挿入したスリーブ挿通孔周辺の拡大断面図
【図１３】後端部を上に向けた絶縁プラグの縦断面図
【図１４】ベルト型端子の背面斜視図
【図１５】キャップ型端子被着用のボスの斜視図
【図１６】本発明の第２の実施例の要部拡大断面図
【図１７】従来の他の放電ランプ装置の縦断面図
【符号の説明】
１０  アークチューブ
１１  アークチューブ本体
１２  放電部である密閉ガラス球
１５ａ，１５ｂ  放電電極
１８ａ，１８ｂ  リード線
２０  紫外線遮蔽用グローブ
３０  絶縁プラグ
３２  開口部
３４  焦点リング
３５ａ  スリーブ挿通孔
３５ｂ  リードサポート挿通孔
３５ｃ  テーパ孔
３６，３６Ａ  金属製リードサポート
３６ａ  波型屈曲部
３８  絶縁スリーブ
４４  ベルト型端子
４５ａ  リードサポート後端部係合孔
４７  キャップ型端子
５０  金属製支持部材
５１  ベースプレート
６０  アークチューブ垂直保持部材
６１  金属製スライドプレート
６４  舌片状挟持片
７１  アークチューブ把持バンド
Ｃ1   給電側コネクター
Ｃ2   ランプ側コネクター
Ｌ  放電軸
Ｌ2   焦点リングの中心軸
Ｐ1 ，Ｐ2   屈曲部の変曲点
Ｓ1 ，Ｓ1 ’  スリーブ挿通孔内周面と絶縁スリーブ外周面間の隙
Ｓ2   絶縁スリーブ内周面とリードサポート間の隙
【図１】
0003641120.tif 000002
【図２】
0003641120.tif 000003
【図３】
0003641120.tif 000004
【図４】
0003641120.tif 000005
【図５】
0003641120.tif 000006
【図６】
0003641120.tif 000007
【図７】
0003641120.tif 000008
【図８】
0003641120.tif 000009
【図９】
0003641120.tif 000010
【図１０】
0003641120.tif 000011
【図１１】
0003641120.tif 000012
【図１２】
0003641120.tif 000013
【図１３】
0003641120.tif 000014
【図１４】
0003641120.tif 000015
【図１５】
0003641120.tif 000016
【図１６】
0003641120.tif 000017
【図１７】
0003641120.tif 000018